【手続補正書】
【提出日】平成28年11月9日(2016.11.9)
【手続補正１】
【補正対象書類名】特許請求の範囲
【補正対象項目名】全文
【補正方法】変更
【補正の内容】
【特許請求の範囲】
【請求項１】
ディスプレイモジュールであって、
第1の面および対向する第2の面を有する基板と、
前記第1の面上に配置されたディスプレイピクセル回路のアレイであって、各ディスプレイピクセル回路が、薄膜トランジスタ(TFT)バックプレーンに接続可能なディスプレイデバイスのディスプレイピクセルに光放出、光透過または光反射の状態を変更させるように構成された、ディスプレイピクセル回路のアレイと、
前記第1の面上に配置されたセンサピクセル回路のアレイであって、各センサピクセル回路が、圧電超音波指紋回路の一部を形成するように構成され、前記センサピクセル回路のアレイ内のアレイロケーションから圧電超音波指紋センサ回路に供給される電荷を読み取るように構成された、センサピクセル回路のアレイとを
備え、
ディスプレイピクセル回路の前記アレイおよびセンサピクセル回路の前記アレイが、前記TFTバックプレーンの非重複領域を占有する、薄膜トランジスタ(TFT)バックプレーンと、
カバーガラスと前記TFTバックプレーンの間に配置され、前記ディスプレイピクセル回路のアレイとともに、前記ディスプレイモジュールに表示機能を提供するように構成された、1つまたは複数のディスプレイ構成要素と、
前記圧電超音波指紋センサと、
を備え、
前記ディスプレイモジュールは、前記ディスプレイピクセル回路の最大範囲により定義されるアクティブ表示領域を有し、
前記圧電超音波指紋センサは前記アクティブ表示領域の外部に配置され、
前記圧電超音波指紋センサの少なくとも一部が前記TFTバックプレーンと前記カバーガラスの間に配置され、
前記センサピクセル回路のアレイが前記圧電超音波指紋センサの一部を形成し、
前記圧電超音波指紋センサは、前記TFTバックプレーンから最も離れた前記圧電超音波指紋センサの面が、前記TFTバックプレーンから、前記TFTバックプレーンから最も離れた1つまたは複数のディスプレイ構成要素の面と同じ距離にあるように、1つまたは複数の材料の層を含む、
ディスプレイモジュール。
【請求項２】
前記指紋センサが、同時に少なくとも2本の指から指紋をキャプチャするようにサイズ決定される、請求項1に記載のディスプレイモジュール。
【請求項３】
前記圧電超音波指紋センサが、掌紋センサである、請求項1に記載のディスプレイモジュール。
【請求項４】
センサピクセル回路の前記アレイと個別の単一のセンサピクセル回路をさらに備え、前記単一のピクセル回路が、超音波ボタンとして作動するように構成される、請求項1に記載のディスプレイモジュール。
【請求項５】
ピクセル入力電極のアレイをさらに備え、
各ピクセル入力電極が、センサピクセル回路の前記アレイ内のセンサピクセル回路をオーバーレイし、
前記センサピクセル回路が、第1の方向に第1のピッチ間隔において離隔され、
各ピクセル入力電極が、前記第1の方向に前記第1のピッチ間隔の約70%より大きく前記第1のピッチ間隔より小さい公称幅を有する、請求項1に記載のディスプレイモジュール。
【請求項６】
センサピクセル回路の前記アレイをオーバーレイする圧電層をさらに備える、請求項1に記載のディスプレイモジュール。
【請求項７】
前記センサピクセル回路が、約500センサピクセル回路パーインチより高い密度で配列される、請求項1に記載のディスプレイモジュール。
【請求項８】
ディスプレイピクセル回路の前記アレイによって占有された前記TFTバックプレーンの前記領域内の、互いに実質的に平行であり、第1のピッチ間隔だけ離隔された複数のディスプレイデータトレースと、
ディスプレイファンアウトとをさらに備え、
前記ディスプレイデータトレースが、前記第1のピッチ間隔だけ離隔された前記ディスプレイファンアウトに入り、前記第1のピッチ間隔未満の第2のピッチ間隔だけ離隔された前記ディスプレイファンアウトを退出し、
前記ディスプレイファンアウトが、実質的にセンサピクセル回路の前記アレイとディスプレイピクセル回路の前記アレイとの間に配置される、請求項1に記載のディスプレイモジュール。
【請求項９】
センサピクセル回路の前記アレイによって占有された前記TFTバックプレーンの前記領域内の、互いに実質的に平行であり、第3のピッチ間隔だけ離隔された複数のセンサデータトレースと、
センサファンアウトとをさらに備え、前記センサデータトレースが、前記第3のピッチ間隔だけ離隔された前記センサファンアウトに入り、前記第3のピッチ間隔未満の第4のピッチ間隔だけ離隔された前記センサファンアウトを退出する、請求項8に記載のディスプレイモジュール。
【請求項１０】
前記TFTバックプレーン上に配置されたディスプレイドライバチップと、
前記TFTバックプレーン上に配置されたセンサドライバチップとをさらに備え、
前記ディスプレイドライバチップが、前記ディスプレイファンアウトを退出する前記ディスプレイデータトレースに電気的に接続され、
前記センサドライバチップが、前記センサファンアウトを退出する前記センサデータトレースに電気的に接続され、
前記センサドライバチップおよび前記ディスプレイドライバチップが、別個のチップである、請求項9に記載のディスプレイモジュール。
【請求項１１】
前記TFTバックプレーン上に配置された、組み合わされたディスプレイおよびセンサのドライバチップをさらに備え、
前記組み合わされたディスプレイおよびセンサのドライバチップが、前記ディスプレイファンアウトを退出する前記ディスプレイデータトレースと、前記センサファンアウトを退出する前記センサデータトレースとに電気的に接続され、
前記組み合わされたディスプレイおよびセンサのドライバチップが単一の集積チップである、請求項9に記載のディスプレイモジュール。
【請求項１２】
ディスプレイモジュールであって、
ディスプレイモジュールのアクティブ表示領域より大きくサイズ決定されたカバーガラスと、
第1の面および対向する第2の面を有する薄膜トランジスタ(TFT)バックプレーンであって、
前記第1の面上に配置されたディスプレイピクセル回路のアレイであって、前記ディスプレイモジュールは、前記ディスプレイピクセル回路の最大範囲により定義されるアクティブ表示領域を有する、ディスプレイピクセル回路のアレイと、
前記第1の面上に配置されたセンサピクセル回路のアレイであって、各センサピクセル回路が圧電超音波指紋センサに対する圧電超音波指紋センサ回路の一部を形成するように構成され、センサピクセル回路の前記アレイが前記アクティブ表示領域の外部に配置される、センサピクセル回路のアレイとを有する、薄膜トランジスタ(TFT)バックプレーンと、
前記カバーガラスと前記TFTバックプレーンとの間に配置され、ディスプレイピクセル回路の前記アレイとともに、前記ディスプレイモジュールに対する表示機能を与えるように構成された、1つまたは複数のディスプレイ構成要素と、
前記圧電超音波指紋センサと、
前記圧電超音波指紋センサと前記カバーガラスの間に介挿され、前記圧電超音波指紋センサと前記カバーガラスとの間にギャップがない、1つまたは複数の材料の層と、
を備え、
前記圧電超音波指紋センサシステムの少なくとも一部が前記TFTバックプレーンと前記カバーガラスとの間に配置され、
センサピクセル回路の前記アレイが、前記圧電超音波指紋センサシステムの一部を形成する、
ディスプレイモジュール。
【請求項１３】
前記圧電超音波指紋センサシステムが、積層配置における超音波送信機と超音波受信機とを含み、
前記超音波送信機と前記カバーガラスとの間の間隔および前記超音波受信機と前記カバーガラスとの間の前記間隔が、ともに、実質的にギャップがない状態である、請求項12に記載のディスプレイモジュール。
【請求項１４】
前記超音波送信機が、第1の送信機電極と第2の送信機電極との間に介挿された圧電超音波送信機層を含み、前記超音波受信機が、センサピクセル回路の前記アレイと受信機バイアス電極との間に介挿された圧電超音波受信機層を含む、請求項13に記載のディスプレイモジュール。
【請求項１５】
前記超音波受信機が、前記TFTバックプレーンと前記カバーガラスとの間に介挿される、請求項14に記載のディスプレイモジュール。
【請求項１６】
前記カバーガラス上に形成された導電性タッチ層をさらに備え、前記受信機バイアス電極が、前記導電性タッチ層の一部によって提供される、請求項14に記載のディスプレイモジュール。
【請求項１７】
センサピクセル回路の前記アレイ周りの前記導電性タッチ層が、電気的増強材料を用いて電気的に増強され、センサピクセル回路の前記アレイ内の前記導電性タッチ層が、実質的に前記電気的増強材料がない状態である、請求項16に記載のディスプレイモジュール。
【請求項１８】
前記電気的増強材料が銀インクである、請求項17に記載のディスプレイモジュール。
【請求項１９】
前記1つまたは複数の材料層が前記超音波受信機と積層構成に配置された1つまたは複数のスペーサをさらに備え、
前記カバーガラスと前記TFTバックプレーンとの間に配置された前記1つまたは複数のディスプレイ構成要素が、前記カバーガラスと前記TFTバックプレーンとの間のオフセットを規定するディスプレイ積層体厚さを有し、
前記受信機バイアス電極を含む前記超音波受信機が、前記ディスプレイ積層体厚さ未満の超音波受信機厚さを有し、
前記受信機バイアス電極と、前記超音波受信機と前記1つまたは複数のスペーサとの間の任意の粘着層または接着層とを含む、前記1つまたは複数のスペーサおよび前記超音波受信機の前記積層構成が、前記ディスプレイ積層体厚さに実質的に等しい第1の積層体厚さを有する、請求項15に記載のディスプレイモジュール。
【請求項２０】
ディスプレイモジュールであって、
第1の面および対向する第2の面を有する基板と、
前記第1の面上に配置されたディスプレイピクセル回路のアレイであって、各ディスプレイピクセル回路が、薄膜トランジスタ(TFT)バックプレーンと関連付けられたディスプレイデバイスのディスプレイピクセルに光放出、光透過または光反射の状態を変更させるように構成され、前記ディスプレイモジュールは、前記ディスプレイピクセル回路の最大範囲により定義されるアクティブ表示領域を有する、ディスプレイピクセル回路のアレイと、
前記第1の面上に配置され、圧電超音波センサ回路に供給される電荷を読み取るように構成された前記圧電超音波センサ回路の一部を形成するように構成され、前記アクティブ表示領域の外部に配置された、圧電超音波センサピクセル回路と、
カバーガラスと前記TFTバックプレーンの間に配置され、前記ディスプレイピクセル回路のアレイとともに、前記ディスプレイモジュールに表示機能を提供するように構成された、1つまたは複数のディスプレイ構成要素と、
前記圧電超音波センサと、
を備え、
前記圧電超音波センサの少なくとも一部が前記TFTバックプレーンと前記カバーガラスの間に配置され、
前記圧電超音波センサピクセル回路が前記圧電超音波センサの一部を形成し、
前記圧電超音波センサは、前記TFTバックプレーンから最も離れた前記圧電超音波センサの面が、前記TFTバックプレーンから、前記TFTバックプレーンから最も離れた1つまたは複数のディスプレイ構成要素の面と同じ距離にあるように、1つまたは複数の材料の層を含む、
ディスプレイモジュール。
【請求項２１】
前記圧電超音波センサが、ボタン制御であるように構成される、請求項20に記載のディスプレイモジュール。
【請求項２２】
前記圧電超音波センサのさらなる部分を形成する1つまたは複数の追加の圧電超音波センサピクセル回路をさらに備える、請求項20に記載のディスプレイモジュール。
【請求項２３】
前記圧電超音波センサピクセル回路および前記1つまたは複数の追加の圧電超音波センサピクセル回路が、スライダー制御を提供するように構成される、請求項22に記載のディスプレイモジュール。
【請求項２４】
前記第1の面上に配置された第2の圧電超音波センサピクセル回路のアレイであって、各第2の圧電超音波センサピクセル回路が、アレイロケーションから第2の圧電超音波センサ回路に供給される電荷を読み取るように構成された前記第2の圧電超音波センサ回路の一部を形成するように構成された、第2の圧電超音波センサピクセル回路のアレイをさらに備え、
ディスプレイピクセル回路の前記アレイおよび第2の圧電超音波センサピクセル回路の前記アレイが、前記TFTバックプレーンの非重複領域を占有する、請求項20に記載のディスプレイモジュール。